(57)【要約】【課題】光源の発光量を多くすることなく、又、導光板を用いることなくレンズの全域を極力均等に発光させることができる室内照明灯を提供する。【解決手段】室内照明灯１は、車両の室内天井２に取り付けられ、開口部１３を有するハウジング１０と、ハウジング１０の開口部１３に配置されたルームライト用レンズ２１と、ハウジング１０内に設けられ、ルームライト用レンズ２１が配置された開口部１４を囲む室１７と、室１７の隅に配置され、ルームライト用レンズ２１に向かって光を射出する発光ダイオード３１と、室１７内の内面に配置されたリフレクタ１５を備えている。【選択図】図２
2019001297.tif 000002
【特許請求の範囲】
【請求項１】
車両の室内天井に取り付けられ、開口部を有するハウジングと、
前記ハウジングの前記開口部に配置されたレンズと、
前記ハウジング内に設けられ、前記レンズが配置された前記開口部を囲む室と、
前記室の隅に配置され、前記レンズに向かって光を射出する発光ダイオードと、
前記室内の内面に配置されたリフレクタを備えたことを特徴とする室内照明灯。
【請求項２】
請求項１記載の室内照明灯であって、
前記リフレクタは、前記発光ダイオードに近い天井面の領域では、前記レンズの面に対し平行なフラット面部に、前記発光ダイオードから遠い天井面の領域では、前記レンズの面に対し傾斜している傾斜面部に形成されていることを特徴とする室内照明灯。
【請求項３】
請求項１又は請求項２記載の室内照明灯であって、
前記リフレクタは、前記室の全ての内面に亘って配置されていることを特徴とする室内照明灯。
【請求項４】
請求項２記載の室内照明灯であって、
前記リフレクタは、前記傾斜面部の外面に囲みリブを有することを特徴とする室内照明灯。
【発明の詳細な説明】
【技術分野】
【０００１】
本発明は、車両の室内天井に取付けられる室内照明灯に関する。
【背景技術】
【０００２】
この種の室内照明灯は、従来より種々提案されている（特許文献１、２参照）。かかる室内照明灯の一従来例として、車両の室内天井に取り付けられるハウジングと、ハウジングの下面側に設けられたスイッチノブと、ハウジングの下面側に設けられたレンズと、ハウジング内に配置された発光ダイオードとを備えたものがある。
【０００３】
発光ダイオードの照射光によってレンズが発光し、車室内に照射される。
【０００４】
ところで、レンズがルームランプ用レンズの場合には、レンズの全域をできるだけ均等に発光させる必要がある。そのため、発光ダイオードを複数個配置したり、ルームライト用レンズの内側に導光板を一体に配置したりしていた。
【先行技術文献】
【特許文献】
【０００５】
【特許文献１】特開２００７−６６６３０号公報
【特許文献２】特許第４８３１０９７号公報
【発明の概要】
【発明が解決しようとする課題】
【０００６】
しかしながら、発光ダイオードを複数個配置すると、コスト高になり、又、導光板をレンズに一体に設けると構造が複雑化する。そのため、発光ダイオードを複数個、つまり、発光量を多くすることなく、又、導光板を配置することなくレンズの全域を極力均等に発光させたいという要望がある。
【０００７】
そこで、本発明は、前記した課題を解決すべくなされたものであり、光源の発光量を多くすることなく、又、導光板を用いることなくレンズの全域を極力均等に発光させることができる室内照明灯を提供することを目的とする。
【課題を解決するための手段】
【０００８】
本発明は、車両の室内天井に取り付けられ、開口部を有するハウジングと、ハウジングの開口部に配置されたレンズと、ハウジング内に設けられ、レンズが配置された前記開口部を囲む室と、室の隅に配置され、レンズに向かって光を射出する発光ダイオードと、室内の内面に配置されたリフレクタを備えたことを特徴とする室内照明灯である。
【発明の効果】
【０００９】
本発明によれば、光源の発光量を多くすることなく、又、導光板を用いることなくレンズの全域を極力均等に発光させることができる。
【図面の簡単な説明】
【００１０】
【図１】本発明の一実施形態を示し、車室内から室内天井を見上げるようにしてマップランプを見た図である。
【図２】本発明の一実施形態を示し、図１のＡ−Ａ線断面図である。
【図３】本発明の一実施形態を示し、図１のＢ−Ｂ線断面図である。
【図４】本発明の一実施形態を示し、リフレクタの内面側を見た斜視図である。
【図５】本発明の一実施形態を示し、リフレクタの外面側を見た斜視図である。
【発明を実施するための形態】
【００１１】
以下、本発明の一実施形態を図面に基づいて説明する。
【００１２】
図１〜図５は本発明の一実施形態を示す。図１〜図３に示すように、室内照明灯であるマップランプ１は、車両の前席より前方位置の室内天井２に取り付けられている。
【００１３】
マップランプ１は、室内天井２に取り付けられたハウジング１０と、ハウジング１０の下面側に配置された左右一対のスポットライト用レンズ２０及び左右一対のルームライト用レンズ２１と、ハウジング１０の下面側に配置された複数のスイッチノブ２５と、ハウジング１０内に配置された基板３０とを備えている。
【００１４】
ハウジング１０は、光を透過しない部材より形成されている。ハウジング１０は、ハウジング本体１１と、ハウジング本体１１に組み付けされ、ハウジング本体１１の天井側を被う天井側ハウジング部１２とを有する。ハウジング本体１１には、複数の遮光仕切壁１１ａが設けられている。ハウジング本体１１の下面側には、複数の遮光仕切壁１１ａで区画された各空間が開口する複数の開口部１３，１４が形成されている。
【００１５】
天井側ハウジング部１２には、室内天井２への取付部（図示せず）が設けられている。
【００１６】
スポットライト用レンズ２０及びルームライト用レンズ２１は、各開口部１３を塞ぐようにして配置されている。スポットライト用レンズ２０は、室内への露出面が小さな丸形である。ルームライト用レンズ２１は、室内への露出面が大きな方形状である。
【００１７】
各スイッチノブ２５は、ハウジング本体１１の下面側の各開口部１４を塞ぐようにして配置されている。各スイッチノブ２５は、プッシュ式である。各スイッチノブ２５は、下記するシンボルマーク部２５ｄを除いて光を透過しない部材より形成されている。各スイッチノブ２５は、ハウジング本体１１の表面に露出する操作部２５ａと、ハウジング本体１１内に突出するスイッチ押下ロッド（図示せず）と、ハウジング本体１１内に突出する遮光壁（図示せず）とを有する。
【００１８】
操作部２５ａには、光を透過する部材より形成されたシンボルマーク部２５ｄが設けられている。シンボルマーク部２５ｄは、当該スイッチノブ２５が担当する機能を視覚によって認識できるマーク形状である。１つのスイッチノブ２５の操作部２５ａには、シンボルマーク部２５ｄの他にインジケータ用レンズ２５ｅが付設されている。
【００１９】
基板３０は、ハウジング本体１１の遮光仕切壁１１ａの上面側に当接されている。基板３０は、遮光仕切壁１１ａの仕切による複数の開口の天井側を塞いでいる（図３参照）。つまり、３色発光ダイオード３１の照射光が天井側ハウジング部１２側に漏れないようになっている。基板３０には、複数の３色発光ダイオード（発光ダイオード）３１、複数のスイッチ素子ＳＷ等が実装されている。各３色発光ダイオード３１は、各スポットライト用レンズ２０、ルームライト用２１、各スイッチノブ２５に対応する、遮光仕切壁１１ａで仕切られた各領域にそれぞれ配置されている。インジケータ用レンズ２５ｅを有するスイッチノブ２５には、シンボルマーク部２５ｄの他にインジケータ用レンズ２５ｅに対応する領域にも各３色発光ダイオード３１が配置されている。
【００２０】
各３色発光ダイオード３１は、赤色（Ｒ）発光素子、緑色（Ｇ）発光素子、青色（Ｂ）発光素子を内蔵し、例えば電流値に応じて所定色の光を出射する。
【００２１】
各スイッチ素子ＳＷは、各スイッチノブ２５のスイッチ押下ロッド（図示せず）の真下位置にそれぞれ配置されている。
【００２２】
次に、ルームライト用レンズ２１を発光させる箇所について説明する。図２及び図３に示すように、ハウジング１０内には、ルームライト用レンズ２１が配置された開口部１４を囲む室１７が設けられている。３色発光ダイオード３１は、室１７の隅に配置されている。室１７には、リフレクタ１５が配置されている。リフレクタ１５は、図４及び図５にも示すような形状を有し、室１７の全ての内面に亘って配置されている。詳細には、リフレクタ１５は、室１７の天井面に沿って配置されたフラット面部１５ａと、室１７の天井面側に配置された傾斜面部１５ｂと、室１７の全ての側面に沿って配置された側面部１５ｃとを有する。フラット面部１５ａは、ルームライト用レンズ２１の面に対し平行であり、３色発光ダイオード３１に近い天井面の領域に配置されている。傾斜面部１５ｂは、ルームライト用レンズ２１に対し傾斜（当該傾斜面部１５ｂが３色発光ダイオード３１に向く方向に傾斜）し、３色発光ダイオード３１から遠い天井面の領域に配置されている。
【００２３】
リフレクタ１５には、傾斜面部１５ｂの外面に囲みリブ１５ｄが設けられている（特に、図５参照）。傾斜面部１５ｂの傾斜によって落下する塵埃等が囲みリブ１５ｄで捕獲され、下方に落下するのを防止する。
【００２４】
以上説明したように、室内照明灯１は、車両の室内天井２に取り付けられ、開口部１３を有するハウジング１０と、ハウジング１０の開口部１３に配置されたルームライト用レンズ２１と、ハウジング１０内に設けられ、ルームライト用レンズ２１が配置された開口部１４を囲む室１７と、室１７の隅に配置され、ルームライト用レンズ２１に向かって光を射出する発光ダイオード３１と、室１７内の内面に配置されたリフレクタ１５とを備えている。
【００２５】
従って、３色発光ダイオード３１の射出光は、直接にルームライト用レンズ２１に照射され、又は、リフレクタ１５を１回、若しくは複数回反射してルームライト用レンズ２１に照射されるため、ルームライト用レンズ２１の全域をできるだけ均等に発光させることができる。つまり、光源である３色発光ダイオードの発光量を多くすることなく、又、導光板を用いることなくレンズの全域を極力均等に発光させることができる。
【００２６】
リフレクタ１５は、３色発光ダイオード３１に近い天井面の領域では、ルームライト用レンズ２１の面に対し平行なフラット面部１５ａに、３色発光ダイオード３１から遠い天井面の領域では、ルームライト用レンズ２１の面に対し傾斜（当該傾斜面部１５ｂが３色発光ダイオード３１に向く方向に傾斜）している傾斜面部１５ｂに形成されている。
【００２７】
従って、３色発光ダイオード３１より遠いルームライト用レンズ２１の領域には、傾斜面部１５ｂの反射光が照射されるため、ルームライト用レンズ２１の全域を極力均等に発光させることに寄与する。
【００２８】
リフレクタ１５は、室１７の全ての内面に亘って配置されている。従って、室１７の内面のどの位置に照射される光も反射光となるため、３色発光ダイオード３１の発光がルームライト用レンズ２１に照射される効率が高くなり、ルームライト用レンズ２１が明るく発光することに寄与する。
【００２９】
リフレクタ１５は、傾斜面部１５ｂの外面に囲みリブ１５ｄを有する。従って、塵埃などがルームライト用レンズ２１の内面側に入り込むのを極力防止できる。つまり、天井側ハウジング部１２には、基板３０のコネクタ３２に接続する車体側コネクタ（図示せず）の挿入口等が開口される。このような開口よりハウジング１０内に塵埃等が入り込む可能性があるが、ハウジング１０内に塵埃等が入り込んでも、囲みリブ１５ｄで捕獲されて下方に落下するのを防止する。
【符号の説明】
【００３０】
１  室内照明灯
２  室内天井
１０  ハウジング
１３,１４  開口部
１５  リフレクタ
１５ａ  フラット面部
１５ｂ  傾斜面部
１５ｄ  囲みリブ
１７  室
２１  ルームライト用レンズ（レンズ）
３１  ３色発光ダイオード（発光ダイオード）
【図１】
2019001297.tif 000003
【図２】
2019001297.tif 000004
【図３】
2019001297.tif 000005
【図４】
2019001297.tif 000006
【図５】
2019001297.tif 000007